(57)【要約】【課題】対象となる原稿の余白部分を利用して設定内容を含ませることにより、複合機が持つスキャナ機能により、一括して容易にかつ自動的に設定条件を入力できるようにしたデジタル複合機を提供すること。【解決手段】操作者は、設定内容を記入した部分を指定するためのキー操作を操作パネル１２から行う。操作者は、操作パネル１２からの通常設定操作なしに、原稿を挿入する。ここで、用いる原稿は、図２に示すように、上下左右いずれかの余白部分などの指定した領域に、設定情報が予め記入されたものを使用する。この上下左右いずれかの余白部分などの指定した領域に、予め記入された設定情報をスキャナ１４を介して、識別部（ＯＣＲ／ＯＭＲ）２０により自動的に認識され、制御部２６により設定がなされる。その設定内容に従って処理が実行される。複数の設定内容であっても、一括して設定されたのちに実行される。【選択図】  図２
2004228951.tif 000002
【特許請求の範囲】
【請求項１】
複写、ファクシミリなどの複数の機能を有するデジタル複合機において、
上下左右いずれかの余白などの所定の領域に各種設定項目が記入されたシートと、処理をしたい原稿とが合成された用紙を読み取る読取手段と、
この読取手段で読み取った、所定の領域に記入された各種設定項目の内容を認識する認識手段と、
この認識手段で認識した内容に応じてこのデジタル複合機を制御する制御手段と、を備えたことを特徴とするデジタル複合機。
【請求項２】
このデジタル複合機が出力する際、所定の領域に記入された各種設定項目を消去して出力する消去手段を備えたことを特徴とする請求項１記載のデジタル複合機。
【請求項３】
前記読取手段により読み取った、所定の領域に記入された各種設定項目を表示または出力することにより操作者に通知する通知手段をさらに備えたことを特徴とする請求項１記載のデジタル複合機。
【請求項４】
前記読取手段が、所定の領域に各種設定項目が記入されたシートを再利用して、これと処理をしたい原稿とが合成された用紙を読み取ることを特徴とする請求項１記載のデジタル複合機。
【請求項５】
前記読取手段が読み取った所定の領域に記入された各種設定項目が設定不可能な組み合わせであった場合、
操作パネル表示または音などにより操作者に設定の誤りを通知する不可設定通知手段を備えたことを特徴とする請求項１記載のデジタル複合機。
【請求項６】
前記読取手段が読み取った所定の領域に記入された各種設定項目が設定不可能な組み合わせであった場合、
前記制御手段が、自動的に最適な設定組み合わせに修正した上で、処理を行うことを特徴とする請求項１記載のデジタル複合機。
【請求項７】
自動原稿送り装置（ＡＤＦ）をさらに備え、
この自動原稿送り装置により、所定の領域に各種設定項目が記入されたシートと、処理をしたい原稿とが合成された用紙を複数枚連続して前記読取手段が読み取ることを特徴とする請求項１記載のデジタル複合機。
【発明の詳細な説明】
【０００１】
【発明の属する技術分野】
本発明は、コピー、スキャナ、プリンタ、ファクシミリ機能などを備えたデジタル複合機に関する。
【０００２】
【従来の技術】
近年、単一の装置でコピー、スキャナ、プリンタ、ファクシミリ機能を備えたデジタル複合機が普及している。このような装置で複数の機能を同時に使用したい場合、例えば、ある原稿を複写すると同時にファクシミリ送信をしたい場合、ユーザーはその都度操作部から処理動作を入力しなければならなかった。また、コピー機能を使用する場合、同一の原稿に対して拡大コピーと縮小コピーを行いたい場合、その都度処理をやり直さなければならなかった。
【特許文献１】
特開平６−１３９４０１号公報
この特許文献１では、各種プログラムやコマンドを情報処理装置にロードするための作業を容易にし、遠方の情報処理装置への指示も簡単な操作で行えるようにする技術が開示されている。
【０００３】
【発明が解決しようとする課題】
ところで、同一の原稿に対して複数回のキー操作を行うことは面倒であり、同時に操作ミスにより無駄な処理を行ってしまうこともある。一方、処理のパターンを蓄積しておき、それを何度も使用できれば、大変便利である。
そこで、本発明の第１の目的は、対象となる原稿の余白部分を利用して設定内容を含ませることにより、複合機が持つスキャナ機能により、一括して容易にかつ自動的に設定条件を入力できるようにしたデジタル複合機を提供することである。
本発明の第２の目的は、原稿の余白部分に記入された設定内容を消去することにより、本来の原稿をそのまま出力することができるデジタル複合機を提供することである。
本発明の第３の目的は、スキャナ機能により読み込まれた設定内容が正しく認識されているかを確認することができるデジタル複合機を提供することである。
本発明の第４の目的は、ユーザーがキー入力しなくても、操作パネルのキー操作により設定した内容を、スキャナ用として再利用できるようにしたデジタル複合機を提供することである。
【０００４】
本発明の第５の目的は、操作パネルからではキー操作そのものができないような組み合わせの設定が読み込まれた場合、操作者の記入誤りを自動的に検出し、知らせることができるデジタル複合機を提供することである。
本発明の第６の目的は、操作パネルからではキー操作そのものができないような組み合わせの設定が読み込まれた場合、操作者の記入誤りを自動的に検出した上で、自動的に補正できるようにしたデジタル複合機を提供することである。
本発明の第７の目的は、ＡＤＦ機能を使うことで、設定条件の異なる複数の処理の流れを、操作者が新たな操作をすることなく、自動的かつ連続的に行えるようにし、処理全体を一括して完了できるようにしたデジタル複合機を提供することである。
【０００５】
【課題を解決するための手段】
請求項１記載の発明では、複写、ファクシミリなどの複数の機能を有するデジタル複合機において、上下左右いずれかの余白などの所定の領域に各種設定項目が記入されたシートと、処理をしたい原稿とが合成された用紙を読み取る読取手段と、この読取手段で読み取った、所定の領域に記入された各種設定項目の内容を認識する認識手段と、この認識手段で認識した内容に応じてこのデジタル複合機を制御する制御手段と、を備えたことにより、前記第１の目的を達成する。
【０００６】
請求項２記載の発明では、請求項１記載記載の発明において、このデジタル複合機が出力する際、所定の領域に記入された各種設定項目を消去して出力する消去手段を備えたことにより、前記第２の目的を達成する。
請求項３記載の発明では、請求項１記載記載の発明において、前記読取手段により読み取った、所定の領域に記入された各種設定項目を表示または出力することにより操作者に通知する通知手段をさらに備えたことにより、前記第３の目的を達成する。
請求項４記載の発明では、請求項１記載記載の発明において、前記読取手段が、所定の領域に各種設定項目が記入されたシートを再利用して、これと処理をしたい原稿とが合成された用紙を読み取ることにより、前記第４の目的を達成する。
【０００７】
請求項５記載の発明では、請求項１記載記載の発明において、前記読取手段が読み取った所定の領域に記入された各種設定項目が設定不可能な組み合わせであった場合、操作パネル表示または音などにより操作者に設定の誤りを通知する不可設定通知手段を備えたことにより、前記第５の目的を達成する。
請求項６記載の発明では、請求項１記載記載の発明において、前記読取手段が読み取った所定の領域に記入された各種設定項目が設定不可能な組み合わせであった場合、前記制御手段が、自動的に最適な設定組み合わせに修正した上で、処理を行うことにより、前記第６の目的を達成する。
【０００８】
請求項７記載の発明では、請求項１記載記載の発明において、自動原稿送り装置（ＡＤＦ）をさらに備え、この自動原稿送り装置により、所定の領域に各種設定項目が記入されたシートと、処理をしたい原稿とが合成された用紙を複数枚連続して前記読取手段が読み取ることにより、前記第７の目的を達成する。
【０００９】
【発明の実施の形態】
以下、本発明の好適な実施の形態について図１ないし図２を参照して詳細に説明する。
図１は、本実施例に係るデジタル複合機の構成を示したブロック図であり、図２は、本実施例で用いる原稿の一例を示した図である。
この図に示すように、この複合機１０は、コピー２２、スキャナ１４、プリンタ１６、ファクシミリ１８などの各機能を有しており、且つユーザーが各種操作を行う操作パネル１２、スキャナ１４が読み取った内容を識別する識別部（ＯＣＲ（光学式文字リーダー）／ＯＭＲ（光学式マークリーダー））２０、各種データを蓄積するデータベース２４、装置全体をコントロールする制御部２６を備えている。
【００１０】
次に、第１の実施例の処理手順を説明する。（Ａ）以下のアルファベットは、操作順序を示している。
（Ａ）操作者は、設定内容を記入した部分を指定するためのキー操作を操作パネル１２から行う。
（Ｂ）操作者は、操作パネル１２からの通常設定操作なしに、原稿を挿入する。ここで、用いる原稿は、図２に示すように、上下左右いずれかの余白部分などの指定した領域に、設定情報が予め記入されたものを使用する。
（Ｃ）この上下左右いずれかの余白部分などの指定した領域に、予め記入された設定情報をスキャナ１４を介して、識別部（ＯＣＲ／ＯＭＲ）２０により自動的に認識され、制御部２６により設定がなされる。
（Ｄ）そして、その設定内容に従って処理が実行される。複数の設定内容であっても、一括して設定されたのちに実行される。
この実施例によれば、識別部２０で識別した内容を、操作パネル１２からのキー操作により設定された場合と同様に、制御部２６によって複合機に設定し、設定に基づいて以降の処理を実行することができる。こうすることにより、操作パネル１２から設定するよりも少ない時間と手間で設定を行うことができ、キー操作における操作誤りを防ぐこともできる。また、通常の処理動作で、設定操作をかねることができ、複数の設定条件を切り換える場合にも、一回の動作で行うことができる。
さらに、メモリでは記憶しきれない数の設定パターンを保持しておき、繰り返し使用すれば、より操作の簡略化に繋がる。
なお、原稿の余白部分を利用しているので、新たなシートを用意することなく、機能を実現することができる。
【００１１】
次に、第２の実施例を説明する。
この実施例は、第１の実施例において、原稿に予め記入された設定部分を消去した後、出力するようにする。
（Ａ）操作者は、設定内容を記入した部分を指定するためのキー操作を操作パネル１２から行う。
（Ｂ）操作者は、操作パネル１２からの通常設定操作なしに、原稿を挿入する。
（Ｃ）挿入された原稿を識別部（ＯＣＲ／ＯＭＲ）２０により設定内容が自動的に認識され、それに対応して、制御部２６により設定がなされる。
（Ｄ）そして、設定内容に従って処理が実行される。複数の設定内容であっても、一括して設定されたのち実行される。
（Ｅ）その後、メモリとの入力または出力時に、設定記入部分はメモリ操作により消去する。
【００１２】
続いて、第３の実施例を説明する。
この実施例は、第１の実施例において、スキャナ１４により読み込み、識別部（ＯＣＲ／ＭＣＲ）２０にて識別された設定内容を、操作パネル１２上に表示、または必要に応じてプリントアウトすることにより、操作者が設定内容の確認を行えるようにしている。
（Ａ）識別された設定内容を、操作パネル１２上に表示することにより操作者に内容を表示する。
（Ｂ）または、操作パネル１２から操作者がキー操作を行うことにより、設定内容をプリントアウトする。
【００１３】
次に、第４の実施例を説明する。
この実施例は、第１の実施例において、操作者により操作パネル１２上から設定された設定内容をプリントアウトし、それをスキャナ１４により読み込みむ。その内容を識別部（ＯＣＲ／ＭＣＲ）２０にて識別させることによって、操作者は手で記入することなく、同一の設定内容を繰り返し利用することができるようにしている。
（Ａ）まず、操作者は、予め設定内容が記入されたシートと、目的の原稿とを合成しておく。
（Ｂ）そして、操作者は、設定内容を記入した部分を指定するためのキー操作を操作パネル１２より行う。
（Ｃ）操作者は、予め合成されたシートをスキャナ１４にて読み込ませる。
（Ｄ）シートに記入された設定が自動的になされ、操作者は以降の処理が行える。
【００１４】
次に、第５の実施例を説明する。
この実施例は、第１の実施例において、設定内容が記入されたシートまたは原稿をスキャナ１４により読み込み、識別部（ＯＣＲ／ＭＣＲ）２０にて識別する。その結果、設定不可能な組み合わせであった場合、正しい組み合わせの提示と共に、操作者に誤りを通知する。ここで、不可能な組み合わせとは、回転ソートを指示していたが、該当する用紙が用意されていない場合などである。
（Ａ）組み合わせの誤りを自動的に検出し、それを操作パネル１２に表示することにより操作者に通知する。
（Ｂ）その後、処理を中断する。
その際、正しい設定の組み合わせ方法や設定可能範囲などを操作者に提示するようにしてもよい。
【００１５】
続いて、第６の実施例を説明する。
この実施例は、第１の実施例において、設定内容が記入されたシートまたは原稿をスキャナ１４により読み込み、識別部（ＯＣＲ／ＭＣＲ）２０にて識別する。その結果、設定不可能な組み合わせであった場合、正しい組み合わせとなるよう設定を自動的に修正し、処理を続行する。
（Ａ）組み合わせの誤りを自動的に修正する。同時に誤りと修正内容を通知する。
（Ｂ）次に、修正された設定に基づいて処理を実行する。
【００１６】
最後に、第７の実施例を説明する。
この実施例は、第１の実施例において、ＡＤＦ（自動原稿送り装置）を併用することによって、設定内容の異なる複数の処理を、自動的かつ連続的に切り換えて実行・完了させることができるようにしている。
（Ａ）まず、複数の原稿をＡＤＦにセットする。
（Ｂ）設定内容が記入された原稿である場合、識別部（ＯＣＲ／ＭＣＲ）２０にて識別することにより自動的に設定がなされる。
（Ｃ）この設定に基づき、以降の処理を実行する
（Ｄ）上記（Ｂ）〜（Ｃ）を繰り返す。
【００１７】
【発明の効果】
請求項１記載の発明では、複数の設定内容をスキャナにより読み込み自動的に認識しているので、複雑なキー操作、あるいは同様なキー操作の繰り返しをしなくても、一括して設定を行うことができる。また、操作パネルからのキー操作によらずに各種の設定が行えるので、操作パネルが簡易でキーが少ない場合などでも、複雑な設定を容易に行うことができる。
請求項２記載の発明では、余白の記入内容を消去しているので、従来の操作パネルによる設定を行った場合と同様に、本来の原稿そのままを出力することができる。
請求項３記載の発明では、スキャナによる読み込みおよび認識内容を操作者が確認できるので、誤りなく確実に操作を実行することができる。
請求項４記載の発明では、設定内容をプリントアウトできるので、いったん操作パネルから設定を行えば、再び複雑なキー操作を繰り返さなくても、スキャナ読み込みにより同様の設定を行うことができる。
【００１８】
請求項５記載の発明では、設定不可能な組み合わせが読み込まれた際に、自動的に検出し操作者に知らせるので、操作者が迷うことなく使用することができる。
請求項６記載の発明では、設定不可能な組み合わせが読み込まれた際に、自動的に検出そして補正して実行されるので、たとえ誤っていた場合でも処理が中断されることなく使用することができる。
請求項７記載の発明では、自動原稿送り装置を併用しているので、設定条件が異なる複数の処理でも、連続してかつ自動的に、処理全体を一括して完了させることができる。
【図面の簡単な説明】
【図１】本発明の実施例に係るデジタル複合機の構成を示したブロック図である。
【図２】本実施例で用いる原稿の一例を示した図である。
【符号の説明】
１０  複合機
１２  操作パネル
１４  スキャナ
１６  プリンタ
１８  ファクシミリ
２０  識別部（ＯＣＲ／ＯＭＲ）
２２  コピー
２４  データベース
２６  制御部
【図１】
2004228951.tif 000003
【図２】
2004228951.tif 000004